(57)【特許請求の範囲】
【請求項１】
屋内または屋外で撮影された画像情報および音声情報を相手端末に転送する携帯型テレビ電話装置において、円筒状の外部筐体に固定されるカメラと、前記外部筐体の内部で回転するとともに前記カメラの周囲を回転する内部筐体と、前記内部筐体に設けられた複数のフィルタと、前記内部筐体を回転することによってこれらのフィルタから所望のフィルタを選択するフィルタ回転操作手段とを備えたことを特徴とする携帯型テレビ電話装置。
【請求項２】
屋内または屋外で撮影された画像情報および音声情報を相手端末に転送する携帯型テレビ電話装置において、円筒状の外部筐体に固定されるカメラと、前記外部筐体の内部で回転するとともに前記カメラの周囲を回転する内部筐体と、前記内部筐体に設けられた変倍用レンズと、前記内部筐体を回転することによってこれらのレンズから所望のレンズを選択する操作手段とを備えたことを特徴とする携帯型テレビ電話装置。
【請求項３】
屋内または屋外で撮影された画像情報および音声情報を相手端末に転送する携帯型テレビ電話装置において、円筒状の外部筐体に固定されるカメラと、前記外部筐体の内部で回転するとともに前記カメラの周囲を回転する内部筐体と、前記内部筐体に設けられた特定の絞り値に応じた絞り窓と、前記内部筐体を回転することによってこれらの絞り窓から所望の絞り窓を選択する操作手段とを備えたことを特徴とする携帯型テレビ電話装置。
【発明の詳細な説明】
【０００１】
【発明の属する技術分野】
本発明はカメラとモニターを有し、無線公衆回線網を用いて画像、音声の送受信を行う携帯型テレビ電話に関する。
【０００２】
【従来の技術】
テレビ電話装置は画像の入出力部となるカメラとモニター、および音声の入出力部となるマイクとスピーカーとを有し、公衆回線網を介して、通信相手に前記カメラによって入力した画像情報と前記マイクによって入力した音声情報を各々符号化して送信し、また通信相手から送信された画像情報と音声情報を受信、復号し、モニターに画像を表示し、スピーカーから音声を出力することによって、通信相手側からの画像を見ながら会話することを可能とする。携帯型テレビ電話装置では、電波の届く範囲であればどこでも通信することが可能であるという無線公衆回線網の特徴から、屋内、屋外と場所を選ぶことなく使用されることになる。このため、画像の入力部となるカメラは、同様に場所を選ばず画像を入手できなければならない。つまり、日差しの強い晴天時の日向においても、蛍光燈下の屋内においても同じように使用できなければならない。しかしながら、屋内と屋外では光の波長特性に違いがあり、蛍光燈下において晴天候と同じ様に撮影すると画像が青みがかったりする。通常据え置き型のテレビ電話装置では、その使用場所が屋内であると限定されるため、カメラを含む画像処理部における色補正を、屋内の蛍光燈などに合わせて設定する。一方、屋内外を問わず使用されるビデオカメラなどでは、オートゲインコントロール、オートアイリス、オートホワイトバランスや、色温度補正処理などを施すことにより、撮影環境に応じた撮影が可能となっている。例えば、晴天下の撮影の場合、絞りを絞ったり、シャッタースピードを高速にすることにより、カメラの受光部に通る光の量を少なくしたり、屋内蛍光燈下では、色温度補正処理を施したり、もしくはレンズの前に補正用のフィルタを付けることにより青みを軽減したりしている。
【０００３】
【発明の解決しようとする課題】
この内フィルタを用いる場合では、色温度変換用の処理部を置くことのない、つまり消費電力を要しないということから、連続通話時間の長時間化が課題となる携帯型テレビ電話では有利であると考えられる。フィルタを使用する場合、通常一眼レフカメラでは使用目的に応じてその都度レンズ先端にフィルタをはめこむ。しかしながら、携帯性が重視される携帯型テレビ電話では、本体と別に交換用のフィルタを携帯することは紛失などにつながり難しい。このため、フィルタは携帯型テレビ電話装置本体に内蔵されている必要がある。携帯型テレビ電話と同様に携帯性を求められるコンパクトカメラにおいて、前記フィルタと同様に本体に内蔵され選択的に使用する絞りは、平面板に絞り値に応じた穴を作りカメラ前面で平行移動させることによって絞りを交換している。しかしながら、携帯型テレビ電話装置では、テレビなしに通常の携帯型の電話と同じように通話することも想定されるため、その形状が携帯型の電話装置に近くなる。２つのフィルタを平行移動させて交換させようとした場合、横幅は１枚のフィルタの横幅の３倍以上必要となり（図４）、耳に当てて話すには横幅が大きく持ちづらいという問題を生じてくる。
【０００４】
【課題を解決するための手段】
本発明はこれらの課題を解決するためのものであり、屋内または屋外で撮影された画像情報および音声情報を相手端末に転送する携帯型テレビ電話装置において、円筒状の外部筐体に固定されるカメラと、前記外部筐体の内部で回転するとともに前記カメラの周囲を回転する内部筐体と、前記内部筐体に設けられた複数のフィルタと、前記内部筐体を回転することによってこれらのフィルタから所望のフィルタを選択するフィルタ回転操作手段とを備えた携帯型テレビ電話装置を提供する。
また、屋内または屋外で撮影された画像情報および音声情報を相手端末に転送する携帯型テレビ電話装置において、円筒状の外部筐体に固定されるカメラと、前記外部筐体の内部で回転するとともに前記カメラの周囲を回転する内部筐体と、前記内部筐体に設けられた変倍用レンズと、前記内部筐体を回転することによってこれらのレンズから所望のレンズを選択する操作手段とを備えた携帯型テレビ電話装置を提供する。
さらに、屋内または屋外で撮影された画像情報および音声情報を相手端末に転送する携帯型テレビ電話装置において、円筒状の外部筐体に固定されるカメラと、前記外部筐体の内部で回転するとともに前記カメラの周囲を回転する内部筐体と、前記内部筐体に設けられた特定の絞り値に応じた絞り窓と、前記内部筐体を回転することによってこれらの絞り窓から所望の絞り窓を選択する操作手段とを備えた携帯型テレビ電話装置を提供する。
【０００５】
【発明の実施の形態】
以下、本発明の実施例について図面を用いて説明する。
図１は本発明の携帯型テレビ電話装置のカメラ部の基本的な構成図であって、（ａ）はそのカメラ部の正面図であり、（ｂ）はそのカメラ部の上面図であり、図２は本発明の携帯型テレビ電話装置の外観を説明した図であって、（ａ）は正面図であり、（ｂ）は側面図であり、図３は本発明の携帯型テレビ電話装置の一実施例であって、（ａ）は正面図であり、（ｂ）は側面図である。
【０００６】
図１において、１は携帯型テレビ電話装置、２は外部筐体、３は内部筐体、４はカメラ基板、５はレンズ筒、６は保護フィルタ、７は回転操作具、８はフィルタ１、９はフィルタ２、１０はフィルタ３である。カメラ基板４、レンズ筒５とから構成されるカメラは内部筐体３に内蔵されている。前記内部筐体３は外部筐体２に内蔵されている。内部筐体３の各方向にフィルタ１（８）、フィルタ２（９）、フィルタ３（１０）の３つのフィルタの窓が設置されている。
【０００７】
外部筐体２には保護フィルタ６の窓がある。外部の光は、外部筐体２の保護フィルタ６の窓を通過し、内部筐体３のフィルタ８、９、１０のいずれかを通過しレンズ筒に入りカメラ基板４にて撮像される。回転操作具７を回転させることにより、内部筐体３は、外部筐体２の内部で回転する。カメラ基板４およびレンズ筒５は外部筐体２に固定され、内部筐体３の回転には依存しない。このため、内部筐体３を回転させることにより、フィルタ８、９、１０を選択的に保護フィルタ６とレンズ筒５の間にくるようにすることができる。内部筐体３を回転させることによりフィルタ８、９、１０を選択的に交換することが可能であるため、フィルタの交換のための機構を入れることによって携帯型テレビ電話装置の横幅Ｗ１を大きくする必要性はない。
【０００８】
図２において、２１はアンテナ、２２はカメラ窓、２３はスピーカー、２４はモニター、２５はボタン、２６はマイク、２７はフィルタ回転操作具である。次に動作説明を行う。携帯型テレビ電話装置２０のボタン２５を押すことによって、電話かける。マイク２６に向かって話し、スピーカー２３で相手側からの音を聞く。カメラ２２に写った画像が相手側に送信され、モニター２４で相手側からの画像を見る。フィルタ回転操作具２７を回転することにより、内蔵されたフィルタを選択的に交換することが可能となる。使用しているフィルタの種類は、モニター２４上に表示され、使用者はこれに基づきフィルタを選択することが可能となる。
【０００９】
図３において、３１はカメラ筐体部、３２はカメラ回転操作具である。携帯型テレビ電話装置３０では、カメラ回転操作具３２を指で押さえて回転させることにより、カメラ筐体部３１を前後自由に回転させることが可能となる。内部筐体３、カメラ基板４およびレンズ筒５は前記カメラ筐体部３１とともに内部で回転し、カメラ筐体部３１の回転によってカメラ窓２２が向けられた方向の映像を撮像することが可能となる。また、フィルタ回転操作具２７を回転させることによって、前記カメラ筐体部３１の内部で内部筐体３のみを回転させ、フィルタ８、９、１０いずれかを選択的に交換することが可能となる。
【００１０】
内部筐体３にはめ込まれたフィルタの個数は、レンズ筒４におけるレンズ特性に依存して増やすことも可能である。また、フィルタの代わりに変倍用のレンズや、特定の絞り値に応じた絞り窓を付けて使用することも考えられる。
【００１１】
【発明の効果】
以上のとおり、本発明は円筒状の筐体の開口部に配設されたカメラと、複数のフィルタを設けた円筒状の筐体を回転することによって前記カメラが設置された環境に適したフィルタを選択できるようにしたので、２つ以上のフィルタを選択して使用することができる。また、フィルタの代わりにレンズを付けることにより、望遠広角を選択的に使用することも可能である。
【図面の簡単な説明】
【図１】  本発明の携帯型テレビ電話装置のカメラ部の基本的な構成図であって、（ａ）はそのカメラ部の正面図であり、（ｂ）はそのカメラ部の上面図である。
【図２】  本発明の携帯型テレビ電話装置の外観を説明した図であって、（ａ）は正面図であり、（ｂ）は側面図である。
【図３】  本発明の携帯型テレビ電話装置の一実施例であって、（ａ）は正面図であり、（ｂ）は側面図である。
【図４】  平行移動によるフィルタ交換を説明した構成図である。
【符号の説明】
１  携帯型テレビ電話装置
２  外部筐体
３  内部筐体
４  カメラ基板
５  レンズ筒
６  保護フィルタ
７  回転操作具
８  フィルタ１
９  フィルタ２
１０  フィルタ３
１１  カメラ窓
１２  携帯型テレビ電話装置
１３  フィルタ移動部屋
１４  フィルタ１
１５  フィルタ２
２０  携帯型テレビ電話装置
２１  アンテナ
２２  カメラ窓
２３  スピーカー
２４  モニター
２５  ボタン
２６  マイク
２７  フィルタ回転操作具
３０  携帯型テレビ電話装置
３１  カメラ筐体部
３２  カメラ回転操作具
【図１】
0003723685.tif 000002
【図２】
0003723685.tif 000003
【図３】
0003723685.tif 000004
【図４】
0003723685.tif 000005